(57)【要約】【課題】小型化を可能にしつつ、回転速度が遅い場合であってもディスクを良好に押さえ付けることを可能にする。【解決手段】遠心力を受けて径方向外側に移動する錘部２と、錘部２の径方向外側への移動によってディスク３を押圧する作用部４とを備えている。また、クランパ本体５に対して回動支点部６により回動可能に接続された制振押圧部材７を備えると共に、錘部２と作用部４を制振押圧部材７に一体的に設け、錘部２が遠心力を受けることで制振押圧部材７が回動支点部６を中心に回動し、作用部４をディスク３に押し付けるものである。【選択図】図１
2005353123.tif 000002
【特許請求の範囲】
【請求項１】
遠心力を受けて径方向外側に移動する錘部と、前記錘部の径方向外側への移動によってディスクを押圧する作用部とを備えることを特徴とするディスクプレーヤ用クランパ。
【請求項２】
クランパ本体に対して回動支点部により回動可能に接続された制振押圧部材を備えると共に、前記錘部と前記作用部を前記制振押圧部材に一体的に設け、前記錘部が遠心力を受けることで前記制振押圧部材が前記回動支点部を中心に回動し、前記作用部をディスクに押し付けることを特徴とする請求項１記載のディスクプレーヤ用クランパ。
【請求項３】
前記錘部が径方向外側に移動する方向の前記制振押圧部材の回動角度を制限し、前記作用部による押し付け力が過大になるのを防止するストッパ部材を備えることを特徴とする請求項２記載のディスクプレーヤ用クランパ。
【発明の詳細な説明】
【技術分野】
【０００１】
本発明は、ＣＤやＤＶＤ等のディスクプレーヤ用クランパに関する。さらに詳しくは、本発明は、ディスクプレーヤ用クランパの制振のための構造の改良に関するものである。
【背景技術】
【０００２】
従来、ディスク再生時の振動を防止するために、クランパに固定したディスクスタビライザに羽根を設けたディスク再生装置がある（特開平１−３１２７９９号）。このディスク再生装置を図１１に示す。モータ１０１によって回転されるターンテーブル１０２上に載せられたディスク１０３を挟持するマグネットクランパ１０４には、ディスクスタビライザ１０５が固定されている。このディスクスタビライザ１０５には複数の羽根１０６が形成されている。回転によって羽根１０６に空気抵抗による抗力が生じ、この力でディスク１０３を押さえ、共振を防止してディスク１０３を安定させるようにしている。
【０００３】
【特許文献１】特開平１−３１２７９９号
【発明の開示】
【発明が解決しようとする課題】
【０００４】
しかしながら、上述のディスク再生装置では、羽根１０６の回転による空気抵抗を利用してディスク１０３を押さえる力を発生させているので、特に回転速度が遅い場合にはディスク１０３を押さえる力として十分な大きさの力を得ることができず、ディスク１０３の振動を抑える効果が少なかった。一方、回転速度が遅い場合にも大きな力を得ようとすると、羽根１０６を大きくする必要があり、装置の大型化を招いていた。また、ディスク１０３の回転速度の増加に伴って風切り音の発生を招いていた。
【０００５】
本発明は、小型化を可能にしつつ、回転速度が遅い場合であってもディスクを良好に押さえ付けることができるディスクプレーヤ用クランパを提供することを目的とする。また、本発明は、風切り音を発生させることがないディスクプレーヤ用クランパを提供することを目的とする。
【課題を解決するための手段】
【０００６】
かかる目的を達成するために、請求項１記載のディスクプレーヤ用クランパは、遠心力を受けて径方向外側に移動する錘部と、錘部の径方向外側への移動によってディスクを押圧する作用部とを備えるものである。
【０００７】
したがって、ターンテーブルとの間にディスクを挟持した後、回転すると、錘部が遠心力を受けて径方向外側に移動する。錘部の移動は作用部がディスクを押圧する方向の力となって作用部に伝わる。このため、作用部がディスクを押圧しディスクの振動を抑制する。また、作用部がディスクに押し付けられることでこれらが一体化されることになるので、錘部と作用部とが一体的に形成されている場合には、錘部がディスクに設けられているのと同様になり、見掛け上ディスクの質量が増加してディスクの共振周波数を下げることができる。このため、ディスクが振動し難いものとなる。
【０００８】
また、請求項２記載のディスクプレーヤ用クランパは、クランパ本体に対して回動支点部により回動可能に接続された制振押圧部材を備えると共に、錘部と作用部を制振押圧部材に一体的に設け、錘部が遠心力を受けることで制振押圧部材が回動支点部を中心に回動し、作用部をディスクに押し付けるものである。
【０００９】
したがって、ターンテーブルとの間にディスクを挟持した後、回転すると、錘部が遠心力を受けることで制振押圧部材が回動支点部を中心に回動し、作用部をディスクに押し付ける。このため、作用部がディスクの振動を抑制する。また、作用部がディスクに押し付けられることでこれらが一体化されることになるので、錘部がディスクに設けられているのと同様になり、見掛け上ディスクの質量が増加してディスクの共振周波数を下げることができる。このため、ディスクが振動し難いものとなる。
【００１０】
さらに請求項３記載のディスクプレーヤ用クランパは、錘部が径方向外側に移動する方向の制振押圧部材の回動角度を制限し、作用部による押し付け力が過大になるのを防止するストッパ部材を備えるものである。すなわち、制振押圧部材の回動角度が所定角度を超えるとストッパ部材が制振押圧部材の回動を制限し、作用部によるディスク押し付け力が過大になるのを防止する。
【発明の効果】
【００１１】
しかして、請求項１記載のディスクプレーヤ用クランパでは、遠心力を受けて径方向外側に移動する錘部と、錘部の径方向外側への移動によってディスクを押圧する作用部とを備えているので、錘部に作用する遠心力を利用してディスクを押圧することができる。遠心力は質量に比例して大きくなるので、たとえ回転速度が遅い場合であっても大きな力を得ることができ、作用部によってディスクを良好に押圧することができる。また、錘部と作用部とが一体的に形成されている場合には、作用部がディスクに押し付けられることでディスクと作用部と錘部が一体化され、見かけ上、ディスクの質量が増加してディスクの共振周波数が低くなり、ディスクが振動し難いものとなる。これらのため、たとえ回転速度が遅い場合であってもディスクの振動を効果的に抑えることができる。さらに、空気抵抗を利用する羽根を備えていないので、風切り音を発生させることがなく、静粛性に優れ、且つ羽根を大きくする必要もないので、小型化が可能なクランプを提供することができる。
【００１２】
また、請求項２記載のディスクプレーヤ用クランパでは、クランパ本体に対して回動支点部により回動可能に接続された制振押圧部材を備えると共に、錘部と作用部を制振押圧部材に一体的に設け、錘部が遠心力を受けることで制振押圧部材が回動支点部を中心に回動し、作用部をディスクに押し付けるようにしているので、制振押圧部材の錘部、作用部、回動支点部がてことして機能し、錘部に作用する遠心力を増幅してディスク押圧力として作用部に伝えることができる。このため、より強い押圧力でディスクを押さえることができる。また、てこの原理を利用して錘部の質量をディスクに対してより大きく影響させることができるので、ディスクをより振動し難いものにすることができる。これらのため、より効果的にディスクの振動を抑えることができる。そして、かかる効果を有するにもかかわらず、構造を簡単なものにすることができる。
【００１３】
さらに、請求項３記載のディスクプレーヤ用クランパでは、錘部が径方向外側に移動する方向の制振押圧部材の回動角度を制限し、作用部による押し付け力が過大になるのを防止するストッパ部材を備えているので、ディスクの振動を効果的に抑えつつ、ディスクを過大な力から保護することができる。
【発明を実施するための最良の形態】
【００１４】
以下、本発明の構成を図面に示す最良の形態に基づいて詳細に説明する。
【００１５】
図１〜図８に、本発明のディスクプレーヤ用クランパの実施形態の一例を示す。ディスクプレーヤ用クランパ（以下、単にクランパという）１は、遠心力を受けて径方向外側に移動する錘部２と、錘部２の径方向外側への移動によってディスク３を押圧する作用部４とを備えている。本実施形態では、クランパ本体５に対して回動支点部６により回動可能に接続された制振押圧部材７を備えると共に、錘部２と作用部４を制振押圧部材７に一体的に設け、錘部２が遠心力を受けることで制振押圧部材７が回動支点部６を中心に回動し、作用部４をディスク３に押し付けるようにしている。
【００１６】
クランパ１は周方向に例えば１２の領域に分かれており、１つ置きの領域がそれぞれ制振押圧部材７となっている。制振押圧部材７は回動支点部６によってクランパ本体５に接続されている。即ち、クランパ本体５は、平面視の形状が、中央のハブ部５ａから６つの領域を放射状に延出させる形状を成しており、かかる形状のクランパ本体５に対して周方向に等間隔で６箇所に制振押圧部材７が設けられている。クランパ１は、例えば樹脂によって一体成形されており、制振押圧部材７は回動支点部６を捻るように弾性変形させながら回動可能となっている。
【００１７】
錘部２は、制振押圧部材７の内側端に設けられている。錘部２は、制振押圧部材７のディスク３とは反対側に膨出するように形成されている。また、制振押圧部材７の外側端がディスク３を押圧する作用部４となっている。作用部４は、クランパ本体５の外周縁よりもディスク３側に若干突出している。また、作用部４には、例えば不織布、不織紙、ゴム等のダンパー部材８が貼着されている。本実施形態では、ダンパー部材８としてクランパ本体５とほぼ同径のリング形状のものを使用しており、１枚のダンパー部材８を１２の領域の外側端に連続して貼着している。リング形状のダンパー部材８を使用することで、各制振押圧部材７毎に別々のダンパー部材８を貼着する必要がなくなり、部品点数を減らすことができると共に、ダンパー部材８の貼着作業が簡単なものとなる。
【００１８】
クランパ本体５の底面には、例えば３箇所に、ディスク３を挟持する膨出部５ｄが形成されている。また、クランパ本体５のハブ部５ａに設けられた環状溝５ｂにはリング形状のマグネット９が設けられており、ターンテーブル１０に磁気吸着してディスク３を挟持する。マグネット９の上にはヨーク１１が設けられている。また、ハブ部５ａにはヨーク１１を覆うように目隠し部材１２が嵌め込まれている。
【００１９】
クランパ１は、錘部２が径方向外側に移動する方向の制振押圧部材７の回動角度を制限し、作用部４による押し付け力が過大になるのを防止するストッパ部材１３を備えている。本実施形態のストッパ部材１３は、錘部２が径方向外側に移動する方向の回動に加え、錘部２が径方向内側に移動する方向の回動についてもその回動角度を制限する。具体的に説明すると、ストッパ部材１３は例えばクランパ本体５のハブ部５ａに嵌め込まれるキャップであり、錘部２を挿入する孔１３ｂを有している。ストッパ部材１３をクランパ本体５のハブ部５ａに嵌め込んだ後、ストッパ部材１３を若干回転させると、ストッパ部材１３の係合爪１３ａがクランパ本体５の係合爪５ｃに引っかかる。このようにしてストッパ部材１３がクランパ本体５に取り付けられる。制振押圧部材７が回動支点部６を中心に回動すると、錘部２が孔１３ｂの周囲の壁に度当たりするので、制振押圧部材７の回動角度が制限される。
【００２０】
回転しているクランパ１には遠心力が作用する。このため、錘部２が径方向外側に移動する方向に制振押圧部材７が回動支点部６を中心に回動し、作用部４がディスク３を押圧する。錘部２の質量は大きく、錘部２に作用する遠心力は錘部の質量に比例して大きくなる。このように大きな遠心力を利用してディスク３を押圧することができる。このとき、錘部２、作用部４、回動支点部６がてことして機能するので、錘部２に作用する遠心力を増幅して作用部４に伝えることができる。即ち、てこの原理を利用して錘部２に作用する遠心力を増幅することができるので、より強い押圧力でディスクを押さえることができる。
【００２１】
また、作用部４がディスク３に押し付けられることでこれらが一体化される（ディスク３と制振押圧部材７とが一緒に振動する）ことになるので、錘部２がディスク３に設けられているのと同様になり、見掛け上ディスク３の質量が増加し、ディスク３の共振周波数を下げることができる。即ち、静止しているディスク３を動かすにはより大きな力が必要になり、ディスク３を振動し難いものにすることができる。
【００２２】
このように、作用部４の押圧力によってディスク３の振動を抑えることができると共に、ディスク３を振動し難いものにすることができるので、ディスクの振動をより効果的に抑えることができる。
【００２３】
てことして機能する制振押圧部材７をクランパ本体５に一体成形することは簡単であり、また、クランパ１の構造も簡単である。また、制振押圧部材７はクランパ本体５に一体成形されるので、部品点数を増加させることもない。これらのため、製造コストの増加を抑えつつ、効果的な制振構造を得ることができる。
【００２４】
なお、上述の形態は本発明の好適な形態の一例ではあるがこれに限定されるものではなく本発明の要旨を逸脱しない範囲において種々変形実施可能である。例えば、上述の説明では、クランパ１は６個の制振押圧部材７を供えていたが、制振押圧部材７の数は６個に限るものではないことは勿論である。
【００２５】
また、上述の説明では、ダンパー部材８の形状をリング形状し、１枚のダンパー部材８をクランプの１２の領域の外側端に連続して貼着するようにしていたが、作用部４毎に別々のダンパー部材８を貼着するようにしても良い。
【００２６】
また、上述の説明では、制振押圧部材７をクランパ本体５と一体成形していたが、制振押圧部材７とクランパ本体５とを別々に成形した後、制振押圧部材７をクランパ本体５に接続するようにしても良い。この場合には、例えば回動支点部６にシャフトを使用し、クランパ本体５に対して制振押圧部材７を回動させるようにしても良い。
【００２７】
また、上述の説明では、ストッパ部材１３を設け、制振押圧部材７の回動角度を制限するようにしていたが、ストッパ部材１３を省略しても良い。
【００２８】
また、上述の説明では、錘部２は制振押圧部材７と一体のものであったが、錘部２を別体にしても良い。そして、樹脂以外の材料、例えば金属等を使用して錘部２を形成し、制振押圧部材７に固定するようにしても良い。
【００２９】
また、上述の説明では、制振押圧部材７の内側端に錘部２を、外側端に作用部４を、錘部２と作用部４の間に回動支点部６をそれぞれ設けていたが、錘部２と作用部４と回動支点部６の位置関係はこれに限るものではない。即ち、上述の説明では、錘部２と作用部４と回動支点部６の位置関係を図９（ａ）に示すようにしていたが、図９（ｂ）〜（ｏ）に示すようにしても良い。なお、図９中、●は錘部２を示し、○は回動支点部６を示し、▽は作用部４を示し、１点鎖線はクランパ１及びディスク３の回転中心軸を示している。図９（ａ）〜（ｊ）の例では、錘部２に作用する遠心力を利用して作用部４に押圧力を発生させることができる。また、図９（ａ）、（ｂ）、（ｅ）、（ｆ）、（ｈ）、（ｊ）、（ｌ）、（ｍ）、（ｏ）の例では、ディスク３から作用部４に入力する振動を拡大して錘部２に伝えることができる。図９（ｋ）、（ｎ）、（ｏ）の例では、錘部２に作用する遠心力は、作用部４に対して作用部４を動かさない力として作用する。つまり、ディスク３の振動が過大となった場合にのみ、作用部４がディスク３を押圧して振動を抑えるようにすることができる。
【００３０】
さらに、上述の説明では、錘部２と作用部４とを制振押圧部材７に設けて一体化させていたが、例えば図１０に示すように、錘部２と作用部４とを別体にしても良い。なお、図１０の例では、錘部２が遠心力を受けて径方向外側に向けて移動すると、傾斜面１４を押し下げて作用部４をディスク３に押し付ける。また、錘部２に作用していた遠心力が消滅すると、リターンスプリング１５によって錘部２が引き戻されると共に、リターンスプリング１６によって作用部４が押し戻される。この例によっても、遠心力を利用してディスク３を押さえ付け、ディスク３の振動を効果的に抑制することができる。
【図面の簡単な説明】
【００３１】
【図１】本発明のディスクプレーヤ用クランパの第１の実施形態を示し、図３及び図４のＩ−Ｉ線に沿う断面図である。
【図２】本発明のディスクプレーヤ用クランパの第１の実施形態を示し、図３及び図４のII−II線に沿う断面図である。
【図３】本発明のディスクプレーヤ用クランパの第１の実施形態を示す平面図である。
【図４】本発明のディスクプレーヤ用クランパの第１の実施形態を示す底面図である。
【図５】本発明のディスクプレーヤ用クランパの第１の実施形態を示し、そのストッパ部材の図６及び図７のＶ−Ｖ線に沿う断面図である。
【図６】本発明のディスクプレーヤ用クランパの第１の実施形態を示し、そのストッパ部材の平面図である。
【図７】本発明のディスクプレーヤ用クランパの第１の実施形態を示し、そのストッパ部材の底面図である。
【図８】本発明のディスクプレーヤ用クランパの第１の実施形態を示し、ターンテーブルとともにディスクを挟持している状態の断面図である。
【図９】本発明のディスクプレーヤ用クランパの他の実施形態を示し、（ａ）は参考のために図１のディスクプレーヤ用クランパについて示した概略構成図、（ｂ）は本発明のディスクプレーヤ用クランパの第２の実施形態を示す概略構成図、（ｃ）は本発明のディスクプレーヤ用クランパの第３の実施形態を示す概略構成図、（ｄ）は本発明のディスクプレーヤ用クランパの第４の実施形態を示す概略構成図、（ｅ）は本発明のディスクプレーヤ用クランパの第５の実施形態を示す概略構成図、（ｆ）は本発明のディスクプレーヤ用クランパの第６の実施形態を示す概略構成図、（ｇ）は本発明のディスクプレーヤ用クランパの第７の実施形態を示す概略構成図、（ｈ）は本発明のディスクプレーヤ用クランパの第８の実施形態を示す概略構成図、（ｉ）は本発明のディスクプレーヤ用クランパの第９の実施形態を示す概略構成図、（ｊ）は本発明のディスクプレーヤ用クランパの第１０の実施形態を示す概略構成図、（ｋ）は本発明のディスクプレーヤ用クランパの第１１の実施形態を示す概略構成図、（ｌ）は本発明のディスクプレーヤ用クランパの第１２の実施形態を示す概略構成図、（ｍ）は本発明のディスクプレーヤ用クランパの第１３の実施形態を示す概略構成図、（ｎ）は本発明のディスクプレーヤ用クランパの第１４の実施形態を示す概略構成図、（ｏ）は本発明のディスクプレーヤ用クランパの第１５の実施形態を示す概略構成図である。
【図１０】本発明のディスクプレーヤ用クランパの第１６の実施形態を示す概略構成図である。
【図１１】従来のディスクプレーヤ用クランパの断面図である。
【符号の説明】
【００３２】
１  クランパ
２  錘部
３  ディスク
４  作用部
５  クランパ本体
６  回動支点部
７  制振押圧部材
１３  ストッパ部材
【図１】
2005353123.tif 000003
【図２】
2005353123.tif 000004
【図３】
2005353123.tif 000005
【図４】
2005353123.tif 000006
【図５】
2005353123.tif 000007
【図６】
2005353123.tif 000008
【図７】
2005353123.tif 000009
【図８】
2005353123.tif 000010
【図９】
2005353123.tif 000011
【図１０】
2005353123.tif 000012
【図１１】
2005353123.tif 000013